(57)【要約】【課題】  照明光源と一体型で、かつ必要な明るさを確保できる天井埋込型空気調和装置を提供する。【解決手段】  ユニット本体２Ａが天井内に埋め込まれ、天井板６の表面に化粧パネル７が露出した天井埋込型の空気調和装置１において、この化粧パネル７が天井板６の天井面６Ａに密着して取り付けられた基部７１と、この基部７１に連結部７３を介して取り付けられ、当該基部７１との間に横吹出しの吹出し口４を形成する表面部７５とを有し、この表面部７５が略中央に吸込み口３を有し、この吸込み口３の外方に中空状に形成されて、当該中空内に照明光源１３を有した照明部１１を備えた。【選択図】      図１
2006258363.tif 000002
【特許請求の範囲】
【請求項１】
ユニット本体が天井内に埋め込まれ、天井板の天井面に化粧パネルが露出した天井埋込型空気調和装置において、この化粧パネルが天井板の天井面に密着して取り付けられた基部と、この基部に連結部を介して取り付けられ、当該基部との間に横吹出しの吹出し口を形成する表面部とを有し、この表面部が略中央に吸込み口を有し、この吸込み口の外方に中空状に形成されて、当該中空内に照明光源を有した照明部を備えたことを特徴とする天井埋込型空気調和装置。
【請求項２】
前記照明部の少なくとも表面が光透過性を有した部材で形成されていることを特徴とする請求項１記載の天井埋込型空気調和装置。
【請求項３】
前記吹出し口が４方向又は２方向に配置されていることを特徴とする請求項２記載の天井埋込型空気調和装置。
【発明の詳細な説明】
【技術分野】
【０００１】
本発明は、照明光源を備えた天井埋込型空気調和装置に関する。
【背景技術】
【０００２】
一般に、ユニット本体が天井内に埋め込まれ、天井板の天井面に化粧パネルが露出した天井埋込型空気調和装置が知られている（特許文献１参照）。この種のものでは、化粧パネルが略中央に吸込み口を有し、この吸込み口の外方に吹出し口を有し、この吹出し口が４方向又は２方向に配置されているものがある。近年、建屋のインテリアとして例えば天井面に統一された照明ラインを設け、この照明ライン上に、邪魔にならないように天井埋込型空気調和装置を配置することが提案されている。
【特許文献１】特開平５−１８７６４９号公報
【発明の開示】
【発明が解決しようとする課題】
【０００３】
しかし、従来のものでは、化粧パネルの形状が照明ラインにマッチせず、インテリアデザイン上で違和感が生じる場合がある。
【０００４】
また、居間等の居室において、その天井中央部に、天井埋込型空気調和装置を設置した場合、照明光源は、どうしてもこれを避けた対置に設置しなければならず、これによって、居室内の必要な明るさが得られなくなったり、照明光源を居室中央に配置した場合、これを避けた位置に天井埋込型空気調和装置を配置しなければならず、これによって、必要な空調性が得られなくなったり等、インテリアデザイン上で制約を受けるばかりでなく、明るさや空調性を犠牲にする恐れがある。また、一般照明では設計に応じた明るさ（以下、必要な明るさという。）の確保が重要であり、そのためには、ある程度の大きさの照明装置を配置しなければならない場合があり、この場合、天井埋込型空気調和装置の設置スペースが制限される恐れがある。
【０００５】
そこで、本発明の目的は、照明光源と一体型で、かつ必要な明るさを確保できる天井埋込型空気調和装置を提供することにある。
【課題を解決するための手段】
【０００６】
上記目的を達成するため、本発明は、ユニット本体が天井内に埋め込まれ、天井板の天井面に化粧パネルが露出した天井埋込型空気調和装置において、この化粧パネルが天井板の天井面に密着して取り付けられた基部と、この基部に連結部を介して取り付けられ、当該基部との間に横吹出しの吹出し口を形成する表面部とを有し、この表面部が略中央に吸込み口を有し、この吸込み口の外方に中空状に形成されて、当該中空内に照明光源を有した照明部を備えたことを特徴とする。
【０００７】
本発明では、化粧パネルにおいて、基部と表面部とにより横吹出しの吹出し口を形成し、表面部は、略中央に吸込み口を有し、この吸込み口の外方に中空状に形成されて、当該中空内に照明光源を有した照明部を設けたため、一般的な従来の４方向カセット型空調機の化粧パネル等のように、上記吸込み口の外方に横並びに吹出し口を設けない分だけ、照明部を大きく形成することができる。従って、照明光源と一体型で、かつ必要な明るさを充分に確保することができる。
【０００８】
この場合において、前記照明部の少なくとも表面が光透過性を有した部材で形成されていてもよい。また、前記吹出し口が４方向又は２方向に配置されていてもよい。
【発明の効果】
【０００９】
本発明によれば、基部と表面部とにより横吹出しの吹出し口を形成し、表面部は、略中央に吸込み口を有し、この吸込み口の外方に中空状に形成されて、当該中空内に照明光源を有した照明部を設けたため、照明部を大きく形成でき、これによれば、照明光源と一体型で、かつ必要な明るさを確保できる。
【発明を実施するための最良の形態】
【００１０】
以下、図面を参照して本発明の一実施形態を詳述する。
図１は、本実施形態による４方向カセット型空調機の断面図、図２は、同じく斜視図、図３は、正面図、図４は、背面図である。各図において、１は空気調和機を示す。この空気調和機１は、天井内部に収納される板金製の筐体２を含んだユニット本体２Ａと、この筐体２の下面に配置される化粧パネル７とを備えて構成される。
【００１１】
２７はターボファン１２と、天板１３に取り付けられたモータ１４とからなる遠心送風機であり、１６は熱交換器２１の下面を覆うように配置され、角張った環形状に発泡スチロールで形成されたドレンパンであり、２１はターボファン１２の吐出側にこのファンを取り囲むように環状に配置されたプレートフィン型の熱交換器である。また、２３は熱交換器２１で熱交換された空気を吹出し口４へ導く吹き出し空間、２４は筐体２を吊具で天井梁に吊下げるための吊下げボルトである。
【００１２】
上記化粧パネル７は、天井の開口部５を塞ぐように、天井板６の天井面６Ａに密着した状態で、筐体２の下面に取り付けられた基部７１と、この基部７１に、４隅に配置された柱状の連結部７３（図２）を介して取り付けられ、基部７１との間に横吹出しの吹出し口４を形成する表面部７５とを備えて構成されている。各吹出し口４には、風向変更用のフラップ９が配置されている。
【００１３】
化粧パネル７の表面部７５は、概略中央に吸込み口３を有し、この吸込み口３の入口部に、化粧グリル８を備え、この化粧グリル８に空気清浄用のフィルタ２５を支持して構成されている。そして、表面部７５は、吸込み口３の外方に、４辺に亘って中空状に形成された照明部１１を有し、この照明部１１は、中空部１１Ｃを有すると共に、少なくとも室内側の面材１１Ａと、４つの側面材１１Ｂとが、光透過性を有した部材、例えば乳白色のシェード部材で形成されている。
【００１４】
この照明部１１には、サークル状の蛍光管等の照明光源１３が収納され、この照明部１１は、照明光源１３を収納するのに必要な厚みＨを有し、かつ全体的に居室内の明るさを充分に維持できるように、所定幅Ｗの大きさを持って形成されている。この照明部１１では、面材１１Ａを通しての照明が直接照明となり、側面材１１Ｂを通しての照明が間接照明となる。この照明部１１は、化粧パネル７の吸込み口３の外方に、それぞれ４辺に亘って、一体的に形成されており、外観的には、図２〜図４に示すように、化粧パネル７とまったく一体である。
【００１５】
この空気調和機１では、図示を省略した室外機から、上記熱交換器２１に冷媒が供給され、ここに吸込み口３を経由して、遠心送風機２７により室内の空気が循環し、この室内の空気が冷媒により、加熱または冷却され、フラップ９で風向が制御されて、吹出し口４から４方向に風が吹出される。
【００１６】
一般に、この空気調和機１は、例えば２０畳程度までの大きさの居室であれば、室内の天井略中央の理想のポジションに設置される。この場合、照明装置もまた室内の天井略中央の理想のポジションに設置することが望ましい。本構成では、この空気調和機１を、居間等における居室天井略中央の理想のポジションに設置することで、照明光源を、同理想のポジションに同時に取り付けることができる。従って、居室内の必要な明るさと、必要な空調性とを同時に得ることができる。
【００１７】
必要な明るさは、光源によって決まり、これにはサークル状の蛍光管以外でも、例えば、高輝度ＬＥＤやその他スリム管等の小さく、薄い物が好適である。本構成では、化粧パネル７の吸込み口３の外方に、４辺に亘って厚みＨおよび幅Ｗの照明部１１を備え、光源の大きさが決まれば、それに応じて、照明部１１の厚みＨおよび幅Ｗを適宜変更すればよく、簡単な構成で、必要な明るさを容易に得ることができる。
【００１８】
本構成では、一般的な照明器具と同じ明るさを持つ照明機能を、化粧パネル７に一体化させたため、空調機および天井照明のレイアウトが簡便化され、天井面をすっきりさせることができる。また、天井レイアウト設計を同時に進行させることができ、工期短縮や工費削減が図られる。また、例えば人感センサを設置して、空調機および天井照明を同時制御する場合、システム化が簡素化される。
【００１９】
本構成では、化粧パネル７にて、基部７１と表面部７３とにより横吹出しの吹出し口４を形成し、表面部７３は、略中央に吸込み口３を有し、この吸込み口３の外方に中空状に形成されて、当該中空内に照明光源１３を有した照明部１１を設けたため、室内側下面には、化粧グリル８と照明部１１だけが露出する。従って、天井面をすっきりとさせることができる。また、一般的な従来の４方向カセット型空調機の化粧パネル等のように、吸込み口３の外方に横並びに吹出し口が存在しない分だけ、照明部１１の幅Ｗを大きく形成することができ、設計要求に応じた明るさを容易に確保できる。
【００２０】
また、基部７１と表面部７３とを、柱状の連結部７３により連結して、横吹出しの吹出し口４を形成しているため、これら柱状の連結部７３を任意の位置に移動させることにより、側面部の任意の位置に吹出し口４を配置することができ、これによれば、周囲吹出し等、空調性を向上させることができる。
【００２１】
本構成では、照明部１１を、吸込み口３の外方に設けたため、照明部１１の内側の例えば化粧グリル８等を、従来と同様の構成とすることができる。この化粧グリル８は、フィルタ２５の清掃メンテナンス時に着脱されるが、この化粧グリル８には、照明機能を持たせていない。従って、この化粧グリル８には、電気配線等の接続がなく、その脱着をきわめて容易に行うことができる。
【００２２】
また、照明部１１を、吸込み口３の外方に設けたことにより、略中央部の吸込み口３の大きさを、従来通りに大きく形成することができる。さらに、化粧パネル７の基部７１を、図１を参照して、吸込み口３の外方に、幅Ｗ１に亘って大きく張り出させたため、ユニット本体２Ａの据え付けが、多少図中左右にずれたとしても、この基部７１が、天井開口５を完全に塞ぐため、ユニット本体２Ａの据え付けが、多少ラフであってもよく、据え付け容易なものになる。
【００２３】
また、図１に示すように、照明部１１の室内側の面と、化粧グリル８の室内側の面とを、略面一に構成しているため、室内側から見て、従来の薄型の化粧パネルと同様の美的外観を得ることができる。
【００２４】
また、上述した天井埋込型空気調和機１では、筐体２がほぼ正方形であるため、一般に普及された簡易天井パネル（ジプトーン）１枚を外した場合、そこにぴったり収まるサイズになり、施工性を向上させることができる。
この場合、本体は約８５０ｍｍ角程度、化粧パネル７は照明部１１の大きさにもよるが、例えば１１５０ｍｍ角程度に形成すればよい。
【００２５】
以上、一実施形態に基づいて本発明を説明したが、本発明は、これに限定されるものでないことは明らかである。例えば、上記構成では、４方向カセット型について説明したが、これに限定されず、例えば２方向カセット型あるいは１方向カセット型でも同様の構成が得られる。２方向あるいは１方向の例においても、化粧パネルの表面部７５自体を中空状に形成して、当該中空内に照明光源を配置すればよい。
【図面の簡単な説明】
【００２６】
【図１】本発明の一実施形態を示す断面図である。
【図２】同じく斜視図である。
【図３】同じく正面図である。
【図４】同じく背面図である。
【符号の説明】
【００２７】
１  天井埋込型空気調和機
２  筐体
２Ａ  ユニット本体
４  吹出し口
７  化粧パネル
８  化粧グリル
１１  照明部
１１Ｃ  中空部
１３  照明光源
７１  基部
７３  連結部
７５  表面部
【図１】
2006258363.tif 000003
【図２】
2006258363.tif 000004
【図３】
2006258363.tif 000005
【図４】
2006258363.tif 000006